Podtech/llm-jp-corpus-v4-ja_patent huggingface dataset:
(57)【要約】【課題】  ＬＰガスを使用した、屋外で移動できるシャワー装置を提供する。また、緊急時災害用に使用できるよう提供する。【解決手段】  持ち運びが容易なＬＰガス（１）を使用し、給湯器（２）を壁面に設置し内部でシャワー（３）を設けたことを特徴とする。また、緊急災害時対策として、給水常時配管（５）以外に給水緊急時用配管（６）を設けたことを特徴とする。また緊急災害用部品入れ（８）を設けたことを特徴とする。【選択図】図１
0003139421.tif 000002
【実用新案登録請求の範囲】
【請求項１】
ＬＰガス使用において、移動可能な壁面に給湯器を取り付けて屋外でもシャワーが使用できる装置。
【請求項２】
上記の内容で、緊急災害時にシャワーが使用できる装置とする。
【考案の詳細な説明】
【技術分野】
【０００１】  この発明は、ＬＰガスで給湯器からシャワー（湯）を使用できる移動式シャワー装置である。
【背景技術】
【０００２】  従来、シャワーを使用する場合は固定場所しかつかえなく、移動する事が容易ではなかった。
【考案の開示】
【考案が解決しようとする課題】
【０００３】  これらは次のような欠点があった。
（イ）  固定場所しか使えず、屋外で移動できるシャワー室がなかった。
（ロ）  緊急災害時（都市ガスが使用できない場合）に、シャワー（湯）が使えない。
本発明は、これらの欠点を除くためになされたものである。
【課題を解決するための手段】
【０００４】  持ち運びが容易なＬＰガス（１）を使用し、給湯器（２）を壁面に設置し内部でシャワー（３）が使えるようにした。また、緊急災害時対策として、給水常時配管（５）以外に給水緊急時用配管（６）が使えるように分岐した。水道の蛇口から給水する場合を考慮して、ホースや接続金具・工具類を緊急災害用部品入れ（８）に納められるようにした。
【考案の効果】
【０００５】ＬＰガスを使用することにより、屋外に設置することが可能。また、水・電気があれば移動も容易にできる。緊急災害時も簡易的なシャワールームができる。
【考案を実施するための最良の形態】
【０００６】持ち運びが容易なＬＰガス（１）を使用し、給湯器（２）を壁面に設置し内部でシャワー（３）が使えるようにした。これにより、自宅・店舗・公共施設など水・電気があれば屋外で多目的に使える。また、緊急災害時対策として、給水常時配管（５）以外に給水緊急時用配管（６）が使えるように分岐した。水道の蛇口から給水する場合を考慮して、ホースや接続金具・工具類を緊急災害用部品入れ（８）に納められるようにした。これにより、公共施設しかシャワー・風呂が使用できなかったことがこの商品のある場所でできるようになる。移動が容易にできるので、被災地に送ることもできる。
【実施例】
【０００７】
【産業上の利用可能性】
【０００８】（イ）ペット
内部に浅瀬の浴槽を設置したら、ペット用のシャワールームになる。犬など散歩が盛んな道路沿いに設置する。
（ロ）学校
クラブ活動（野球やサッカー）用のシャワールームとして使用する。緊急災害時にも役立つ。
（ハ）ペンション・海の家等のレジャー場
（ニ）建築現場
（ホ）緊急時災害用
国や都道府県・自衛隊など保管しておき、緊急時災害が発生した場合には輸送する。
【図面の簡単な説明】
【０００９】
【図１】  平面図である。
【図２】  ＬＰガス供給設備（１）から見た斜視図である。
【図３】  給湯器（２）から見た斜視図である。
【図４】  内部の斜視図である。
【符号の説明】
【００１０】  １  ＬＰガス供給設備
２  給湯器
３  シャワー設備
４  ガス管
５  給水常時配管
６  給水緊急時用配管
７  給湯管
８  緊急時災害用部品入れ
【図１】
0003139421.tif 000003
【図２】
0003139421.tif 000004
【図３】
0003139421.tif 000005
【図４】
0003139421.tif 000006
【手続補正書】
【提出日】平成19年10月30日(2007.10.30)
【手続補正１】
【補正対象書類名】実用新案登録請求の範囲
【補正対象項目名】全文
【補正方法】変更
【補正の内容】
【実用新案登録請求の範囲】
【請求項１】
ＬＰガス使用において、移動可能な壁面に給湯器を取り付けて屋外でもシャワーが使用できる装置。
【請求項２】
緊急災害時にシャワーが使用できることを特徴とする請求項１記載の装置。
(57)【要約】      （修正有）【課題】洋式便器の縁部の汚れが衣服へ付着することを防止することを目的とする。【解決手段】便座（２）の便器に接して開閉する接合部を残して全周に亘って側縁カバー（３）を設けるものとする。この側縁カバー（３）は便座（２）と一体に成形されていて、この側縁カバーの形状は、正面側の高さを側辺側より高く形成して便器（１）の縁とのかぶりを深くすることによって衣服への接触をなくすことが可能となる。【選択図】図１
0003139425.tif 000002
【実用新案登録請求の範囲】
【請求項１】
便器（１）便座（２）便蓋（４）からなる洋式便器において、便座（２）の接合部を除いた全周に側縁カバー（３）を設けたことを特徴とした洋式便器。
【考案の詳細な説明】
【技術分野】
【０００１】
本考案は、便座の周囲に側縁カバーを設けた洋式便器に関する。
【背景技術】
【０００２】
一般に洋式便器は、便器と便座と便蓋から構成されている。そして男子の小便の場合は、便座を上げて便器のみとして用を済ませる。また男子の大便の場合と女子の場合は便座を用いて用を済ませている。また便座そのものに布製のカバーを掛けることも見受けられる。
【特許文献１】特開平２００１−１７３５４号公報
【考案の開示】
【考案が解決しようとする課題】
【０００３】
男子が小便をするとき小便が飛散して便器の縁にかかり、この縁を汚す場合がしばしばあり、特に子供の場合にこの傾向がみられる。  
【０００４】
このように便器の縁を汚したまま便座を閉じてしまうと、後から用をたす人は、この汚れが便座でかくれているため気付かずに座るため衣服の裾やズボンの腰の部分が汚れに触れる結果となり不快感を受けるばかりか不潔である。
【課題を解決するための手段】
【０００５】
考案者はこの点に鑑み鋭意研究を続けた結果本考案に到達したものであって、本考案は図示するように便座（２）の側縁全周に亘って側縁カバー（３）を設けることによって、この側縁カバー（３）が便器（１）の縁全体を覆うこととなり、この結果前記衣服の汚れの付着を防ぎ、不快で不潔な問題を解決することに成功したものである。
【考案の効果】
【０００６】
上述のように本考案は、洋式便器において便座全周に側縁カバーを設けることによって、便器の縁全体を覆うこととなり、便座に座って用をたすとき、衣服の裾やスボンが便器の縁に触れることなく、たとえ便器の縁が汚れていたとしても衣服が汚れることがなく、不快で不潔な思いをすることなく気持ちよく用を済すことができるという清潔感を得る効果はきわめて大きい。
【考案を実施するための最良の形態】
【０００７】
添付図面により本考案を実施するための最良の形態を説明すると、図１は本考案の便器使用時の斜視図であって、（１）は便器、（２）は便座であって、この便座（２）は接合部を除いて全周に亘って側縁カバー（３）を設けるものである。（４）は便蓋を示し、（５）は開口部である。また図２は便器全体の側面図、図３は便器全体の正面図を示している。
【実施例】
【０００８】
図１により本考案の実施例を説明すると、（１）は便器、（２）は便座、（４）は便蓋であって、これらは通常に使用されている洋式便器であり、本考案は便座（２）の便器に接して開閉する接合部を残して全周に亘って側縁カバー（３）を設けるものとする。
【０００９】
この側縁カバー（３）は便座（２）と一体に成形されていて、この側縁カバーの形状は図２の側面図に示すように、正面側の高さを側辺側より高く形成して便器（１）の縁とのかぶりを深くすることによって衣服への接触をなくすことが可能となる。
【００１０】
一般に男子小便による便器縁部の汚れは飛散による横方向の汚れより、小便のきれの悪さによる滴下の方が多く、したがって側縁カバー（３）の形状も図示のような形状とすることが好ましい。
【産業上の利用可能性】
【００１１】
本考案の洋式便器は、使用に当って清潔を第一とするため家庭用としての使用はもとより、公共施設等での使用にも適しているため、この便器の利用可能性は大きい。
【図面の簡単な説明】
【００１２】
【図１】本考案の全体を現わす斜視図
【図２】側面図
【図３】正面図
【符号の説明】
【００１３】
１  便器
２  便座
３  側縁カバー
４  便蓋
５  開口部
【図１】
0003139425.tif 000003
【図２】
0003139425.tif 000004
【図３】
0003139425.tif 000005
(57)【要約】      （修正有）【課題】環状連結金具が配置されているコンクリートブロックを、複数個同時に、簡単かつ迅速に留めることの出来る連結具を提供する。【解決手段】施工面に同列に配置されたコンクリートブロック６の接合部に対して、施工面に垂直になるように突出成型された環状の結合用金具８同士を結合するための連結具７であって、結合用金具を複数本同時に連結できるように円形を成していることを特徴とする。【選択図】図３
0003139428.tif 000002
【実用新案登録請求の範囲】
【請求項１】
施工面に同列に配置されたコンクリートブロックの接合部に対して、施工面に垂直になるように突出加工成型された環状の結合用金具同士を結合するための連結具であって、前記連結具は、前記結合用金具を複数本同時に連結できるように円形を成していることを特徴とするコンクリートブロックの連結具。
【請求項２】
上記連結具本体は丸型の棒鋼を曲げて形成、または、鍛造しその両端部の上部に一方はボルト貫通穴を開け、もう一方は雌ネジ部を設けたコンクリートブロックの連結具。
【請求項３】
上記連結具の締め付け用ボルトが、連結具本体から脱落しない為の抜け止め用のナットを取り付け、ボルトをはずしてもボルト単体が脱落、紛失しないことを特徴とするコンクリートブロックの連結具。
【考案の詳細な説明】
【技術分野】
【０００１】  本考案はコンクリートブロックの連結具であり、河川の護岸法面や根固めブロックを連結するための連結具に関する。
【背景技術】
【０００２】  河川、湖、ため池等の護岸は補強や保護の為に大型の覆土用ブロックや景観用ブロックを使用することがある。前記のブロックは護岸法面に対して平衡に配置されており、これらのブロックは環状連結金具がおおむね、既ブロック面に対して垂直に配置されていることが多い。【０００３】  これらのブロックを流水による飛散や、護岸法面の滑落による崩壊を避けるため，環状連結金具を全て連結具で固定する必要がある。【０００４】  この連結具を取り付ける空間は、限られた狭い場合が多く，したがって出来るだけ小さな連結具が望ましく、また複数個の環状連結金具を１個の連結具で、できるだけ簡潔に素早く固定されなければならない。【０００４】  この連結具は１個で複数個の大型ブロックを固定する為、所定の強度を有するシャックルが使われることが多い。【０００５】  しかし、小さなシャックルは複数個の連結金具を１個で留めることは難しく、２個、３個と使われる場合も少なくない。これは護岸法面が完全に均一な状態でなく、ブロックの据え付け方も法面に合わせた形になり、したがって環状連結金具も均一な状態にならないことが多い事があげられる。
【考案の開示】
【考案が解決しようとする課題】
【０００６】  小さなシャックルでは複数個の環状連結金具は留めにくく、大きなシャックルでは環状の連結金具を複数個留めることは可能だがボルトが長くなるので、小さな隙間での固定では長いボルトが作業性を難しいものにする欠点がある。【０００７】  また、ボルトで固定するとき、手袋や軍手を使用する為に小さなボルトはブロックの隙間に落ち込んで取れなくなったりして、作業性が悪い。
【課題を解決するための手段】
【０００８】  そこで本考案は小さなシャックルの長所である短いボルトと狭い場所でもボルトを差し込める小さな開口部を用い、図１に示すように開口部から下は大きく湾曲させて円形を構成し、大きなシャックルと同等以上に環状連結金具を複数個留められるようにした。【０００９】  環状連結金具が不均等に施工されていても、連結具が円形である事により結束できる面積がＵ型のシャックルより広く、また作業性も円を描く様に装着できるので為、容易に複数個の環状連結金具をとめることができる。【００１０】  シャックルに使うボルトは小さくて短い為、一度はずすと紛失しやすい。
そこで本考案は図２に示すようにボルトのネジ切り部分にナットを取り付け、ボルトをはずしても抜けない様にした。
【考案の効果】
【００１１】  本考案のコンクリートブロックの連結具は円形をしているため、コンクリートブロックに配置されている環状連結金具を複数個留めることが容易であり、現場施工の効率化に貢献でき、構造が単純であるため価格も安価で、作業性と価格でコストダウンに貢献できる。【００１２】  本考案の円形シャックルには、あらかじめボルトに抜け止めのナットを挿入しているので、ボルトが完全に抜け落ちる事がなく、軍手を使用する作業現場など小さいものを扱いにくい状態の環境でも効率よく連結作業ができる。
【図面の簡単な説明】
【００１３】
【図１】本考案の第一の実施例を示す円形をしたコンクリートブロックの連結具の平面図。
【図２】本考案の第二の実施例を示す抜け止めを施したボルトの解放状態と連結具の開口部を表す外観図。
【図３】第一の実施例をコンクリートブロックの環状連結金具に、複数個固定した状態を示す正面図。
【図４】一般的な小さなシャックルで施工した状態を示す正面図。
【図５】図３で示した連結具をコンクリートブロックと共に示す平面図。
【符号の説明】
【００１４】１  円形をなしたコンクリートブロックの連結具
２  ボルト抜けどめ用ナット
３  連結具本体のナット部
４  ボルトをはずして開口部を広げた状態
５  ボルト
６  コンクリートブロック
７  円形の連結具
８  環状連結金具
９  標準的に使われている小さなＵ型シャックル
【図１】
0003139428.tif 000003
【図２】
0003139428.tif 000004
【図３】
0003139428.tif 000005
【図４】
0003139428.tif 000006
【図５】
0003139428.tif 000007
【手続補正書】
【提出日】平成19年10月30日(2007.10.30)
【手続補正１】
【補正対象書類名】実用新案登録請求の範囲
【補正対象項目名】全文
【補正方法】変更
【補正の内容】
【実用新案登録請求の範囲】
【請求項１】
施工面に同列に配置されたコンクリートブロックの接合部に対して、施工面に垂直になるように突出成型された環状の結合用金具同士を結合するための連結具であって、前記連結具は、前記結合用金具を複数本同時に連結できるように円形を成していることを特徴とするコンクリートブロックの連結具。
【請求項２】
円形を成したコンクリートブロックの連結具の一部に開口部を設け、たとえば一般的なシャックルのように、開口部をボルトで締め付けて固定する部分を、円形を成したコンクリートブロックの連結具に設けたことを特徴とする、請求項１に記載のコンクリートブロックの連結具。
【請求項３】
円形を成したコンクリートブロックの連結具の締め付け用ボルトが、施工時にボルトをはずしてもそのボルト単体が脱落し紛失しないように、抜け止め用のナットをボルトの内側に取り付けた請求項２に記載のコンクリートブロックの連結具。
(57)【要約】      （修正有）【課題】携帯電話の手からの落下防止や、ポケット或いはカバンの中での回転防止のためのストラップであって、暗闇で光るストラップの提供。【解決手段】携帯電話のストラップに接続するアクセサリーとしての角丸長方形のパネル板２で、そのパネル板に蓄光材を混入して製作することにより、光源からの光を受けた後、光源取り去り後も暗闇で光る性質を有することを特徴としたもので、企業等の名前を入れたり、イメージキャラクターを入れたりすることが出来る物品である。又光る性質を有することを特徴とするその物品の素材に関して、生分解性樹脂として、トウモロコシなどから作られた樹脂が使用されており、そのものが不要となった時でも、その後処理として、焼却処分も可能、又地中に埋めた後には土に還る性質を有するので土中に放棄処分も可能で、環境に配慮した物品製造のための素材として、地球温暖化防止に適うもの。【選択図】図２
0003139430.tif 000002
【実用新案登録請求の範囲】
【請求項１】
本考案は、携帯電話のストラップに接続するアクセサリーとしての角丸長方形のパネル板で、そのパネル板に蓄光材を混入して製作することにより、光源からの光を受けた後、光源取り去り後も暗闇で光る性質を有することを特徴としたもので、企業等の名前を入れたり、イメージキャラクターを入れたりすることが出来る物品である。
【請求項２】
本考案は携帯電話のストラップに接続されたアクセサリーとしてのパネル板で、光る性質を有することを特徴とする請求項１の物品の素材に関するもので、生分解性樹脂として、トウモロコシなどから作られた樹脂が使用されており、そのものが不要となった時でも、その後処理として、焼却処分も可能、又地中に埋めた後には土に還る性質を有するので土中に放棄処分も可能で、環境に配慮した物品製造のための素材として、地球温暖化防止に適うものである。
【考案の詳細な説明】
【技術分野】
【０００１】  本考案は、携帯電話用のストラップに付属した、アクセサリーとして、例えば社名入りのパネル板や、あるいは企業のイメージキャラクターを描いたパネル板で、形状としては通常のネームプレート様の物品ではあるが、本考案のように（１）その製作に蓄光材を混入することにより、光源からの光を受けた蓄光材が、光源取り去り後も蓄えた光を放つので、光る携帯電話のストラップ用アクセサリーとして注目され、（２）又パネル板の素材として、生分解性樹脂（植物性プラスチック）が使用されているため、そのものが不要となった後も、焼却しても有毒ガスの排出は無く、また地中に埋めても時とともに土に還り、地球に優しい、環境に配慮した性質を有するので、地球温暖化防止に役立つ物品である。
【背景技術】
【０００２】  携帯電話の手からの落下防止や、ポケット或いはカバンの中での回転防止のためにストラップが使われており、それには多種多様のものが見受けられ、又それに接続するアクセサリーとして個人の好みや、企業名やあるいはイメージキャラクターとして、接続されていることが多く、それもまた多種多様であり、より人々の注目を集め、また関心を引くことが求められている。
【考案の開示】
【考案が解決しようとする課題】
【０００３】  携帯電話用のストラップは本来電話本体が手からの落下防止のために接続されている機能以外に、ファッション性、イメージ性、或いは趣味や好みが追求される状況があり、その一つの解決のため、本考案のように暗闇で光る、地球に優しいという特徴を訴えることで人々の関心を集めるものである。
【課題を解決するための手段】
【０００４】  夜光塗料とか、蛍光塗料を塗布するというものではなく、光を蓄えるという性質を有する物品を混入するので、製品そのものが蓄光力を有し、溶け出したり、剥げ落ちたりすることなく、半永久的にその性質を維持出来ることや、使用される素材は、本来その元の素材である植物そのものの性質を伝えるために、石油化学から生まれる樹脂のような有害物質を有さない。
【考案の効果】
【０００５】  社名や企業の宣伝用或いはイメージキャラクター、又はファッション性や趣味、アクセサリーの対象として、話題性や実益性に効果があるものと期待する。
【考案を実施するための最良の形態】
【０００６】  携帯電話に接続するものであるから、落下防止のためにその重さに耐えるだけの強度と、更に他のアクセサリーなどを接続することが出来るように、接続器具を取り付けておく必要がある。
【実施例】
【０００７】  以下、添付図面に従って一実施例を説明する。――【０００８】  図２角丸長方形のパネル板の両端に開けられた穴にリング環を取り付け、それを接続器具として一方を携帯電話と接続し、他方には更に別のアクセサリーを接続することが出来る。【０００９】  図２の角丸長方形のパネル板の厚みは２ｍｍあり、その両端に穿った穴に通したリング環の先に接続される物体に対する強度は３Ｋｇ以上の重さに耐えられる。
【図面の簡単な説明】
【００１０】
【図１】角丸長方形のパネル板を上から見た平面図
【図２】上記パネル板を斜めから見た図で、両端に穿たれた穴にはリング環が接続されている。
【符号の説明】
【００１１】１  パネル板の両端に穿たれた穴に取り付けたリング環
２  厚さ２ｍｍ、蓄光材が混入されたパネル板で、生分解性樹脂を素材として造られている
３  光源取り去り後も暗闇で光るパネル板
【図１】
0003139430.tif 000003
【図２】
0003139430.tif 000004
【手続補正書】
【提出日】平成19年10月22日(2007.10.22)
【手続補正１】
【補正対象書類名】実用新案登録請求の範囲
【補正対象項目名】全文
【補正方法】変更
【補正の内容】
【実用新案登録請求の範囲】
【請求項１】
「携帯電話のストラップに接続するアクセサリーで、その形状は角丸長方形をした厚さ２ｍｍの平らなパネル板で、
（１）その形状から、表面に企業名を入れたり、イメージキャラクターの図柄を入れたりすることに適した形状のパネル板で、
（２）そのパネル板には蓄光材が混入されていて、光源からの光を受けた後、光源取り去り後も暗闇で光る性質を有することを特徴とした、光るパネル板であり、
（３）そのパネル板自体はトウモロコシから作られた生分解性樹脂を使用し、地球環境に配慮したパネル板であり、
以上の特徴を有する本考案品は、携帯電話にストラップをつける時の選択肢として、地球環境に優しい、光る携帯ストラップ」としての特徴を有するパネル板。
(57)【要約】      （修正有）【課題】印鑑、印肉、掃除用ブラシ及び下敷用スポンジマットを一体とした携帯用印鑑セットを提供する。【解決手段】上箱に印鑑９、印肉６、掃除用ブラシを収納し、下箱に下敷用のスポンジマット８を収納し、全体を一体とした小型に形成された携帯用印鑑セット。【選択図】図３
0003139418.tif 000002
【実用新案登録請求の範囲】
【請求項１】
区切板（７）を設けた上箱（１）の前記区切内に印鑑、印肉、掃除用ブラシを収納し、下箱（２）内にスポンジマット（８）を収納し、上箱（１）、下箱（２）を重ねて蓋（３）内に収納一体としたことを特徴とした携帯用印鑑セット。
【考案の詳細な説明】
【技術分野】
【０００１】  本考案は、携帯用印鑑セットに関する。
【背景技術】
【０００２】  携帯用印鑑セットとしては、印鑑と印肉が一体となったセット、或はこのセットの中に印鑑掃除用のブラシの加わったもの等あるが、このセットの中に印鑑を押印するときの下敷マットが一体となっているものは見当らない。
【特許文献１】  特開平０９−５２４２０号公報
【考案の開示】
【考案が解決しようとする課題】
【０００３】  郵便の配達員や宅配便の配送者が来たとき、又は外交員の人達の契約や受取の書類の作成に捺印をすることは日々数多くあるが、印鑑のみのとき、又は印肉があっても紙一枚の場合は押印された印影が鮮明に写らず、指を当てたり、雑誌や新聞紙を置いて押印するなど気をつかうことが多かった。
【課題を解決するための手段】
【０００４】  考案者はこの点に鑑み試作を重ねた結果本考案に到達したものであって、従来から見受けられる印鑑セットにスポンジマットを加えることで、使用に際して便利な印鑑セットを完成させたもので、図面を参照して、上箱（１）に印鑑（９）と印肉（６）と印鑑掃除用のブラシ（１０）を配し、下箱（２）にスポンジマット（８）を納め、上箱（１）と下箱（２）を重ねて蓋（３）で覆って一体型として携帯用として提供する。
【考案の効果】
【０００５】  上述のように本考案の印鑑セットは、押印の際の必需品である印鑑と印肉、これに印鑑掃除用のブラシ及び下敷用のスポンジマットを一体化しているため携帯用として便利であるばかりでなく、玄関先などに置いても書留便や宅配便等の受取に便利で、近くにテーブルや雑誌等がなくても、下箱のスポンジマットを使用することによって鮮明な捺印が可能であって、当業者どうし気持ちよく一日を過すことができ、この印鑑セットの使用上の効果は著しい。
【考案を実施するための最良の形態】
【０００６】  添付図面により本考案を説明すると、図１は印鑑セット上箱（１）の平面図であって、この中には区切板（７）が設けてあって、印鑑（９）、印肉（６）、印鑑掃除用のブラシ（１０）が収納されている。図２は下箱（２）の平面図であってこの中にはスポンジマット（８）が収納されている。図３は箱の組合せを示す断面図である。
【実施例】
【０００７】  図面により本考案の実施例を説明すると、図１は上箱（１）の平面図であって、この上箱（１）は区切板（７）によって印鑑収納部と印肉床収納部及び印鑑掃除用ブラシ収納部に区画され、それぞれに印鑑（９）、印肉（６）、掃除用ブラシ（１０）が納められている。【０００８】  図２は下箱（２）の平面図であって、この中には押印の際の下敷用のスポンジマット（１０）収納されている。【０００９】  図３は上箱（１）と下箱（２）及び全体を覆う蓋（３）の構成を示すＸ−Ｘ断面図であって、上箱（１）と下箱（２）を重ねて蓋（３）で全体を覆って一体とし携帯可能としている。【００１０】  上箱（１）に収納する印鑑（９）は普通に使用する認印のため上箱の大きさは５ｃｍ×７ｃｍ×１．５ｃｍ、下箱の深さは８ｍｍとすると蓋を合せて全体の厚みが約２．５ｃｍとなり携帯用としても不便でなく、机上や玄関先などに置いても邪魔にならず便利に使用できる。
【産業上の利用可能性】
【００１１】  本考案の携帯用印鑑セットは印鑑と印肉と掃除用ブラシに加えて下敷用のスポンジマットを備え、しかも小型のため携帯用としては勿論のこと机上や玄関先などに置いても便利に使用できるため、この考案の利用価値は大きいと確信する。
【図面の簡単な説明】
【００１２】
【図１】  上箱の平面図
【図２】  下箱の平面図
【図３】  全体の分解断面図
【符号の説明】
【００１３】（１）…上箱
（２）…下箱
（３）…蓋
（５）…印鑑収納部
（６）…印肉
（７）…区切板
（８）…スポンジマット
（９）…印鑑
（１０）…掃除ブラシ
【図１】
0003139418.tif 000003
【図２】
0003139418.tif 000004
【図３】
0003139418.tif 000005
(57)【要約】【課題】  キズ口の乾燥を促し自然の治癒力を利用してキズの治療を早める保護バンドを提供する。【解決手段】  高さのある外囲と格子状で曲面の天枠とよりなり、バンドを設けて、キズ口を保護することによってキズの乾燥によって自然の治癒力によってキズを治す保護バンドである。【選択図】図１
0003139419.tif 000002
【実用新案登録請求の範囲】
【請求項１】
外周を高さのある枠体Ａで形成し、該枠体Ａ上面に曲面のある格子状体（１）で保護体を構成し、バンド（２）を設けて着脱自在としたキズ口保護バンド。
【考案の詳細な説明】
【技術分野】
【０００１】  本考案は、キズ口（傷口）に薬を塗ったガーゼや膏薬等を当てることなく、自然の治癒力によって治療するキズ口保護バンドに関する。
【背景技術】
【０００２】  従来からキズの治療には薬を塗ったガーゼや膏薬等を当て治療をしているが、ガーゼや膏薬を交換する際に、キズ口にガーゼや膏薬が付着していて、これを無理してはがすとキズが治らず悪化するなどの傾向がみられる。
【特許文献１】  特開２００１−２８６５４９号公報
【考案の開示】
【考案が解決しようとする課題】
【０００３】  本考案は、手術を要するような大きなキズは医者にまかせるとして、小さな切りキズや擦りキズなど家庭で治療するとき、薬を塗ったガーゼや膏薬を当てるときに、薬の交換をする際に、ガーゼや膏薬にキズ口が付着していて、無理にはがすと、キズ口が治りにくくなる傾向がみられる。
【課題を解決するための手段】
【０００４】  考案者は永年の経験からキズ口の乾燥を促し、自然の治癒力によってキズの治りを早める保護バンドを提供するもので、格子状の高さのある枠体Ａをキズを覆うように当て、バンド（２）によって装着する保護バンドを構成する。【０００５】  このバンドは、格子状（１）のため通気性があり、しかも高さがあってキズを覆うため、キズに触れることなく自然の治癒力によってキズの治りを早めることができる。
【考案の効果】
【０００６】  上述のように本考案のキズ口保護バンドは、キズに直接触れることなく乾燥させて、自然の治癒力のみによって治すことのできる保護バンドであり、キズの治りを早めることとなり、この治療効果はきわめて顕著である。
【考案を実施するための最良の形態】
【０００７】  添付図面により本考案の実施の形態を説明すると、図１は本考案の要部であるキズ保護枠Ａの平面図であり、図２は図１Ｘ−Ｘ断面図であって、これによって保護枠Ａの構成が明らかにされる。
【実施例】
【０００８】  図面により本考案の実施例を説明すると、保護枠は高さのある外囲Ａと、この上面に設けた格子状体（１）より構成されていて、図２の断面実施例図で明らかなようにキズに対して覆うように保護することができて、キズに対して直接触れることがない。【０００９】  そして上面は格子状（１）で形成されるため通気性があり、キズは常に乾燥が保たれている。【００１０】  そして、この保護枠にはバンド（２）が設けてあって、このバンド（２）によって、腕や足のキズの部分を保護することができる。【００１１】  従って本考案の保護バンドの使用に当ってはキズに対して消毒の手当をして本考案の保護バンドを使用することによってキズは自然の治癒力によって早期の回復が期待できる。
【産業上の利用可能性】
【００１２】  上述のように本考案のキズ口保護バンドは、薬を使用することなく、自然の治癒力を利用するのみでキズの治療を早めることができ、携帯用として、或は家庭の常備品として常にそばに置くことができ、この利用度合は大きい。
【図面の簡単な説明】
【００１３】
【図１】  要部平面図
【図２】  図１Ｘ−Ｘ断面図
【符号の説明】
【００１４】  Ａ…外囲
（１）…格子状体
（２）…バンド
【図１】
0003139419.tif 000003
【図２】
0003139419.tif 000004
(57)【要約】【課題】本考案は、特に女性にとっては、就寝時素顔の状態で肌を休めるのが理想とされており、保湿クリーム等を塗布することによる乾燥防止は避けたいもので、これに代わる安価にして衛生的で人それぞれの顔のサイズにも適応する商品として構成したフリーサイズ保湿フェイスカバーを提供する。【解決手段】ほぼ顔面を覆うサイズの紙、不職布、布、ビニール等の素材において、前記素材の両端付近にカット角度を付けた耳掛け部を設け、そして、縦方向に複数の折り目加工、又は、蛇腹折り加工を施すように構成した。【選択図】図１
0003139415.tif 000002
【実用新案登録請求の範囲】
【請求項１】
ほぼ顔面を覆うサイズの紙、不職布、布、ビニール等の素材において、前記素材の両端付近に耳掛け部を設け、そして、縦方向に複数の折り目加工、又は、蛇腹折り加工を施すように構成されたことを特徴とするフリーサイズ保湿フェイスカバー。
【請求項２】
上記耳掛け部の切り込み角度を変えることでフェイスカバー下部のすぼみ加減を調節するように構成したことを特徴とする請求項１に記載のフリーサイズ保湿フェイスカバー。
【考案の詳細な説明】
【技術分野】
【０００１】  本考案は、昨今のエアコンの普及で年中室内環境は乾燥状態にあり、就寝中この乾燥状態の環境から顔肌の乾燥を防止するため、人間の呼吸による暖かい湿った息を利用、これを効率良く顔面に行き渡らせるように安価で衛生的な使い捨て商品としてなり得る用品に関するものである。
【背景技術】
【０００２】  一般には顔の肌に保湿クリーム等を塗布することで就寝時の乾燥を防いでいる。
【特許文献１】特になし
【非特許文献１】特になし。
【考案の開示】
【考案が解決しようとする課題】
【０００３】  本考案は、上記の問題を解決するものであって、女性にとって就寝時素顔の状態で肌を休めるのが理想とされており、上記のような異物塗布による乾燥防止は避けたいもので、これに代わる安価にして衛生的な商品として構成したフリーサイズ保湿フェイスカバーを提供することを目的としている。
【課題を解決するための手段】
【０００４】  上記の目的を達成するための本考案のフリーサイズ保湿フェイスカバーは、ほぼ顔面を覆うサイズの紙、不職布、布、ビニール等の素材において、前記素材の両端付近にカット角度を付けた耳掛け部を設け、そして、縦方向に複数の折り目加工、又は、蛇腹折り加工を施すように構成した。
【考案の効果】
【０００５】  以上のように構成されたフリーサイズ保湿フェイスカバーは、次のような効果を得る。【０００６】  請求項１は、ほぼ顔面をフェイスカバーにて覆うことで自身の暖かく湿った息を顔面に行き渡らせられ肌に潤いを与えられることができる。また、複数の折り目加工や蛇腹折り加工による伸縮で、人それぞれの顔のサイズにも適応し、特に女性間で小顔が良しとされている風潮の中、自尊心を傷つくことなく商品を購入することができる。更に、この加工による伸縮作用で安価で製造できる簡易的な耳掛け部の破断を少なくすることもできる。【０００７】  請求項２は、上記耳掛け部の切り込み角度を変えることで、フェイスカバーを顔面に装着する時下部からの息漏れを少なくし上部、側部に効率よく暖かく湿った息を行き渡らせられる。
【考案を実施するための最良の形態】
【０００８】  本考案は、ほぼ顔面を覆うサイズの紙、不職布、布、ビニール等の素材に対して縦方向に複数の折り目加工、又は、蛇腹折り加工を施すことで人それぞれの顔のサイズにも適応し、安価にして使い捨ての感覚で使用できるフリーサイズ保湿フェイスカバーが製造できる。
【実施例】
【０００９】  図１は、本考案に関する第１実施例の図であって、約縦２２ｃｍ、横４２ｃｍ寸法で顔面を覆える紙、不職布、布、ビニール等の素材１の平面の縦方向にＬ１、Ｌ２それぞれ１．５ｃｍ〜３ｃｍ長さで組み合わされた蛇腹折り加工２を左右対称に複数個施し、そして、両端に耳４の大きさに対して長さ調整可能なカッティングによる耳掛け部３を設けたものである。【００１０】  図２は、本考案に関する第２実施例の図であって、約縦２２ｃｍ、横４２ｃｍ寸法で顔面を覆える紙、不職布、布、ビニール等の素材１の平面の縦方向にＬ１、Ｌ２それぞれ１．５ｃｍ〜３ｃｍ長さの山形になるような折り目加工５を左右対称に複数個施し、購入者がが自身の顔のサイズに合わせて折り目に沿って蛇腹状に折り曲げる。この方法による商品は第１実施例よりもより安価に製造することができる。【００１１】  図３は、本考案に関する第１実施例、第２実施例の耳掛け部３を詳細に示した図であって、耳掛け部３は切り込み部３Ａとミシン目切り込み部３Ｂとからなり、ミシン目切り込み部３Ｂを切り裂くことで耳の大きさに対して長さ調整ができる。また、耳掛け部３をａの角度にカッティングすることによりフェイスカバー顔面装着時の下部のすぼみ加減を調節することができる。【００１２】  図４は、本考案に関する第１実施例、第２実施例に切り込み角度ａを付けた耳掛け部３にて耳４を介して顔面に装着した図である。このことにより、フェイスカバーが顔面に対してより顎方向に倒れるように装着され、下部からの息漏れを少なくし上部、側部に効率よく暖かく湿った息を行き渡らせられることができる。
【産業上の利用可能性】
【００１３】  本考案によって安価で使い捨てＰＲ商品として、飛行機、長距離列車、チラシ等企業の宣伝広告に利用できる。また、口鼻近くに薬品、香料、保湿剤を塗布することで医薬用材としても利用される。
【図面の簡単な説明】
【００１４】
【図１】本考案を適用したフリーサイズ保湿フェイスカバーを説明する第１実施例の斜視図である。
【図２】本考案を適用したフリーサイズ保湿フェイスカバーを説明する第２実施例の平面図である。
【図３】本考案を適用したフリーサイズ保湿フェイスカバーの耳掛け部の構成を説明する側面図である。
【図４】本考案を適用したフリーサイズ保湿フェイスカバーを顔面に装着したことを説明する側面図である。
【符号の説明】
【００１５】  １    素材
２    蛇腹折り加工
３    耳掛け部
３Ａ  切り込み部
３Ｂ  ミシン目切り込み部
４    耳
５    折り目加工
【図１】
0003139415.tif 000003
【図２】
0003139415.tif 000004
【図３】
0003139415.tif 000005
【図４】
0003139415.tif 000006
【手続補正書】
【提出日】平成19年11月7日(2007.11.7)
【手続補正１】
【補正対象書類名】実用新案登録請求の範囲
【補正対象項目名】全文
【補正方法】変更
【補正の内容】
【実用新案登録請求の範囲】
【請求項１】
ほぼ顔面を覆うサイズの紙、不職布、布、ビニールの素材において、前記素材の両端付近に耳掛け部を設け、そして、縦方向に複数の折り目加工、又は、蛇腹折り加工を施すように構成されたことを特徴とするフリーサイズ保湿フェイスカバー。
【請求項２】
上記耳掛け部の切り込み角度を変えることでフェイスカバー下部のすぼみ加減を調節するように構成したことを特徴とする請求項１に記載のフリーサイズ保湿フェイスカバー。
(57)【要約】      （修正有）【課題】虫や汚れを付きにくくしたり、収納がしやすく更に長期間保管できる超極細繊維人工皮革を利用した着物・帯収納袋の提供。【解決手段】虫や汚れを防止する為に糸を使用せず熱で留め、着物・帯を収納し折込２を付け二重に包み込む。超極細繊維人工皮革を使用することにより、通気性が良くムレにくく、更にシワになりにくく劣化も防げる。よって長期間の保管が可能になった。【選択図】図２
0003139411.tif 000002
【実用新案登録請求の範囲】
【請求項１】
超極細繊維人工皮革の特徴を活かし、生地を合わせた所を熱で留め糸を使用しない着物・帯の収納袋
【請求項２】
収納されている着物・帯がわかりやすい様にポケットを付け、名札を入れる。
【請求項３】
着物・帯を入れた時に、汚れや虫を付きにくくする為に折込の生地を付ける。
【考案の詳細な説明】
【考案の詳細な説明】
【考案が解決しようとする課題】
【０００１】  従来、着物・帯の収納には、たとう紙が使用されていましたが長期間保管する場合に虫が付きやすく、通気性が悪く、劣化しやすい為に超極細繊維人工皮革を使用することにより、問題点を解決する。
【課題を解決するための手段】
【０００２】  上記目的を達成する為に、生地を合わせた所を熱で留め、中がわかりやすいようにポケットを付け、虫や汚れが付きにくくする為、折込生地を二重にし着物・帯を包みこむ超極細繊維人工皮革を使用することにより、通気性よく、劣化を防ぐ。
【考案の効果】
【０００３】  超極細繊維人工皮革を使用することにより、しなやかさがありシワになりにくい。さらに型崩れもなく、適度な通気性があり、ムレにくく、虫やカビの発生が抑えられ、劣化がなく長期間、着物・帯の保管が出来る。
【図面の簡単な説明】
【図１】超極細繊維人工皮革の平面図である。
【図２】着物・帯を包み込む折込部分と熱で留めてある脇部分の斜視図である。
【図３】着物・帯収納袋の名札入れポケットの正面図である。
【符号の説明】
１  超極細繊維人工皮革
２  着物・帯を包む為の折込部分
３  生地の熱処理部分
４  名札ポケット
５  着物・帯収納袋の結び紐
【図１】
0003139411.tif 000003
【図２】
0003139411.tif 000004
【図３】
0003139411.tif 000005
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
：ポリエステル、ポリウレタンを特徴とする、超極細繊維人工皮革の着物・帯の収納袋。
【手続補正書】
【提出日】平成19年10月21日(2007.10.21)
【手続補正１】
【補正対象書類名】実用新案登録請求の範囲
【補正対象項目名】全文
【補正方法】変更
【補正の内容】
【実用新案登録請求の範囲】
【請求項１】
：超極細繊維人工皮革の特徴を利用した、着物・帯の収納袋。
(57)【要約】      （修正有）【課題】花は傾斜させて収納できる棚を設け多段に積まれた花をより観賞または展示しやすくする。【解決手段】角度を変えられる棚ａを製作し、植物の展示を容易にさせ、また花屋等では購買者が購入しやすい状況をつくり、店員の労力を軽減させる。【選択図】図１
0003139448.tif 000002
【実用新案登録請求の範囲】
【請求項１】
花の展示棚を手動又は電動で傾斜させる装置で、構造としては、数段の棚をチェーン、スプロケットで同時に任意の角度に傾斜させることのできる展示棚。
【考案の詳細な説明】
【考案の詳細な説明】
【技術分野】
【０００１】花を観賞する場合や展示する場合、花を上方から見たい時、上から覗き込まなければならない。また数段の棚に収納されていれば、棚から取り出さなければならない。本実用新案は、花を傾斜させて収納できる棚を設け多段に積まれた花をより観賞または展示しやすくするためのものです。
【背景技術】
【０００２】従来は床面に広く並べたり多段の棚に陳列したりしていて、よりよく観るためには床面のものは覗き込まなければならない。また棚の中のものは取り出して観ている。
【考案が解決しようとする課題】
【０００３】従来の展示法は花が観ずらいうえ、展示スペースを多くとってしまう。
【課題を解決するための手段】
【０００４】
【０００５】傾斜させた陳列棚に花を収納することで、花を観やすくかつ多くの花を省スペースで陳列できます。
【実施例】本考案の実施例を図１に示す。【０００６】図１において棚は傾斜棚ａとハンドルｂで構成されている。各棚はスプロケットが付いていてチェーンで連結されている。【０００７】また各棚は水抜き用の穴が明けてある。【０００８】鑑賞時以外は植物が曲がって成長しない様、ハンドルを回して棚を水平に戻すことができる。【０００９】ハンドルはモーターとタイマーを使えば自動化できます。【００１０】
【００１１】
【考案の効果】
【００１２】本考案はより多くの花をより少ない空間に収納し展示することができます。
【００１３】また花屋においては花を観やすくでき、多くの商品の陳列が可能となります。
【図面の簡単な説明】
【図１】本願の手回しハンドルによる傾斜棚
【符号の説明】
ａ…傾斜棚  ｂ…ハンドル  ｃ…チェーン  ｄ…スプロケット  ｅ…水抜き穴
【図１】
0003139448.tif 000003
(57)【要約】      （修正有）【課題】感圧性接着層を設けたを長方形の各紙片を、雛壇状に貼りやすくすることで、貼っても重ならないインデックスとして使用できるようにすること。又簡単に外縁から突出させる高さを揃えることができるようにすること。【解決手段】各紙片の一端側裏面に感圧性接着層が設けられた付箋紙などに、長手方向に沿って切り込み又は線などでメモリを均等に設け、感圧性接着層を設けた反対側の一端側表面に文字などを記入し、書類の外縁に直近する切り込み又は線などの位置をづらし雛壇状に張ることで、重ならないインデックスとして使用することができる。また、付箋紙の場合、重ならないインデックス以外にも普通の付箋紙としても利用できる。そして、長手方向に沿って切り込み又は線などでメモリを均等に設けることにより、簡単に外縁から突出させる高さを揃えることができる。【選択図】図２
0003139441.tif 000002
【実用新案登録請求の範囲】
【請求項１】
一端側裏面に感圧性接着層が設けられた長方形の各紙片に、長手方向に沿って切り込み又は線などでメモリを均等に設けることを特徴とする。
【請求項２】
一端側裏面に感圧性接着層が設けられた長方形の長手方向に沿って切り込み又は線などでメモリを均等に設けた各紙片に、感圧性接着層と反対側の一端側表面に文字などを記入し、書類などの外縁に直近する切り込み又は線などのメモリの位置をづらし雛壇状に貼ることで、ハサミ、カッターなどを使用して切断することなく、重ならないインデックスとして使用することを特徴とする。
【考案の詳細な説明】
【技術分野】
【０００１】
本考案は、インデックスに係り、付箋紙などの感圧性接着層を設けた各紙片に、長手方向に沿って切り込み又は線などでメモリを均等に設け、書類の外縁に直近する切り込み又は線などのメモリの位置をづらし雛壇状に貼ることで、ハサミ、カッターなどを使用して切断することなく、重ならないインデックスとして使用することに関する。又、切り込み又は線などでメモリにより、簡単に外縁から突出させる高さを揃えることができるインデックスに関する。
【背景技術】
【０００２】
書類等の外縁から突出させた状態で使用し、インデックスとして丈が短いものがある。
【考案の開示】
【考案が解決しようとする課題】
【０００３】
従来のインデックスを利用した場合、多数のインデックスが必要なときなど、同じところに重なってしまい見づらいものであった。また、インデックスを同じ高さに揃えるために、何度かやり直すこともあった。
【課題を解決するための手段】
【０００４】
一端側裏面に感圧性接着層が設けられた長方形の長手方向に沿って切り込み又は線などでメモリを均等に設けた各紙片に、書類などの外縁に直近する切り込み又は線などのメモリの位置をづらし雛壇状に貼ることで、ハサミ、カッターなどを使用して切断することなく、重ならないインデックスとして使用することができる。
【０００５】
切り込み又は線などでメモリにより、簡単に外縁から突出させ高さを揃えることができる。
【考案の効果】
【０００６】
以上説明したように、感圧性接着層を設けた長方形の各紙片に、長手方向に沿って切り込み又は線などでメモリを均等に設け、書類などの外縁に直近する切り込み又は線などのメモリの位置をづらし雛壇状に貼ることで、同じ場所に貼っても重ならないデックスとしても利用できる。また、長方形の長手方向に沿って切り込み又は線などでメモリを均等に設けることで、簡単に貼る高さを揃えることができる
【考案を実施するための最良の形態】
【０００７】
感圧性接着層を設けた付箋紙の各紙片に長手方向に沿って切り込み又は線などでメモリを均等に設ける。付箋紙の場合、重ならないインデックス以外にも普通の付箋紙としても利用できる。
【実施例】
【０００８】
実施例については図面を参照して説明する。
図１は、切り込み又は線などでメモリを設けた付箋紙である。Ａの部分に感圧性接着層が施され実際に書類に接着する部分である。Ｂの部分は書き込み欄になっている。
図２は、実際の使用方法である。Ｂの欄が重ならずに一見で目当ての項目を探すことができるようになっている。
【産業上の利用可能性】
【０００９】
本考案は、長手方向に沿って切り込み又は線などでメモリを均等に配置した感圧性接着層を設けた各紙片に感圧性接着層と反対側の一端側表面に文字などを記入し、書類や本などで雛壇状に使用することにより重ならないインデックスに関するものである。
【図面の簡単な説明】
【００１０】
【図１】メモリを設けた付箋紙を示した説明図である。
【図２】実際の使用方法をあらわした説明図である
【符号の説明】
【００１１】
Ａ    感圧性接着層
Ｂ    書き込み欄
【図１】
0003139441.tif 000003
【図２】
0003139441.tif 000004
【手続補正書】
【提出日】平成19年11月2日(2007.11.2)
【手続補正１】
【補正対象書類名】実用新案登録請求の範囲
【補正対象項目名】全文
【補正方法】変更
【補正の内容】
【実用新案登録請求の範囲】
【請求項１】
一端側裏面に感圧性接着層が設けられた長方形の各紙片に、長手方向に沿って切り込み又は線などでメモリを均等に設けることを特徴とする雛壇インデックス紙。
【請求項２】
一端側裏面に感圧性接着層が設けられた長方形の長手方向に沿って切り込み又は線などでメモリを均等に設けた各紙片に、感圧性接着層と反対側の一端側表面に文字などを記入し、書類などの外縁に直近する切り込み又は線などのメモリの位置をづらし雛壇状に貼ることで、ハサミ、カッターなどを使用して切断することなく、重ならないインデックスとして使用することを特徴とする雛壇インデックス紙。
(57)【要約】【課題】  一般的な釣り用天秤の基本的な構造はそのままに、最小限の変更を加えることで、魚信が道糸に伝わり易く、しかも収納時にはかさ張らない収納が容易にできるようにする。【解決手段】  錘の上端から２本の鋼線を出し、１本はそのまま真っ直ぐで先端には比較的大きな輪を構成させる。他の１本は根元部をコイル状にして、コイル状部の上端近くに道糸を結ぶための輪を構成させた上で直角方向に曲げ、先端には仕掛け糸接続用の小さな輪を構成させて、釣り針の付いた仕掛け糸を結ぶ。仕掛け側鋼線のコイル状部の上端近くの輪に結んだ道糸は、別の真っ直ぐな鋼線の先端の比較的大きな輪に通した上で釣人まで導かれる。収納時にはコイル状部のある仕掛け側鋼線を撓ませて、仕掛け側鋼線の先端の小さな輪を該比較的大きな輪に通して保持することで、容易にかさ張らない収納を可能にする。【選択図】図２
0003139443.tif 000002
【実用新案登録請求の範囲】
【請求項１】
釣り用具で投げ釣り時に糸の絡まりを防ぐため，錘の上端から２本の鋼線を出し、１本はそのまま真っ直ぐで先端に道糸を付け、他の１本は根元部近くからほぼ直角方向に曲げて、張り出した先端から釣り針の付いた仕掛け糸を垂らす方式の釣り用天秤において、直角方向に行く仕掛け側鋼線の根元部をコイル状にし、コイル状部の上端近くに道糸を結ぶための輪を構成させた上で直角方向に曲げ、先端には仕掛け糸接続用の小さな輪を構成させて釣り針の付いた仕掛け糸を結び、道糸は真っ直ぐ側の鋼線の先端の比較的大きな輪に通した上で釣人まで導かれて、魚信が釣人に伝わり易くすると共に、収納時には仕掛け側鋼線のコイル状部を主に撓ませて、仕掛け側鋼線の先端の小さな輪を該比較的大きな輪に通して保持することで、容易にかさ張らない収納を可能にする釣り用天秤。
【考案の詳細な説明】
【技術分野】
【０００１】  本考案は釣り用天秤に係わり、魚信を敏感に感じて、しかもかさ張らない収納を可能にする釣り用天秤に関するものである。
【背景技術】
【０００２】  釣り用具として釣り用天秤は広く知られているが、釣り用天秤の基本的な構造は、投げ釣り時に糸の絡まりを防ぐため、錘の上端から２本の鋼線を出し、その内の１本をほぼ直角方向曲げて張り出した先端から釣り針の付いた仕掛け糸を垂らすもので、道糸は真っ直ぐに伸びた他の鋼線の先端の小さな輪に結ぶ構造をしている。この構造だと仕掛け糸から伝わる魚信は横に張り出した仕掛け側鋼線から一度錘に伝わり、錘を介して真っ直ぐに伸びた他の鋼線より道糸に伝わって来ることになり、魚信を感じにくい構造になっている。また収納時には直角に張り出した鋼線は容易に曲がらないため、かさ張って収納しにくい構造になっている。これに対し下記のような公報文献があるが、これは２つの可動部から成っていて、収納法もかさ張らないようにしているが、より簡素な収納方法が望ましい。
【公報文献１】
特開２００７−０４４０２１公報
【考案の開示】
【考案が解決しようとする課題】
【０００３】  本考案は一般的な釣り用天秤の基本的な構造はそのままに、最小限の変更を加えることで、魚信が道糸に伝わり易く、しかも収納時にはかさ張らない収納が容易にできるようにする。
【課題を解決するための手段】
【０００４】  この課題を解決するための手段は、錘の上端から２本の鋼線を出し、１本はそのまま真っ直ぐで、先端には比較的大きな輪を構成させる。他の１本は根元部をコイル状にして、コイル状部の上端近くに道糸を結ぶための輪を構成させた上で、直角方向に曲げ、先端には仕掛け糸接続用の小さな輪を構成させて釣り針の付いた仕掛け糸を結ぶ。仕掛け側鋼線のコイル状部の上端近くの輪に結んだ道糸は、別の真っ直ぐな鋼線の先端の比較的大きな輪に通した上で釣人まで導かれる。収納時には仕掛け側鋼線のコイル状部を主に撓ませ、仕掛け側鋼線の先端の小さな輪を該比較的大きな輪に通して保持することで、容易にかさ張らない収納を可能にする。なお、錘の上端からの上記２本の鋼線は、鋳込み前の錘の中で折り返した１本の鋼線で作成でき、この方が部品点数が少なく、抜けにくくできる。
【考案の効果】
【０００５】  本考案により従来、錘を介して伝わっていた魚信は、仕掛け側鋼線に結んだ道糸から直接釣人まで伝えられ、錘はコイル状部を介して保持されて魚信の直接の通路からは外される。このため魚信がより釣人に伝わり易い。また、収納時には仕掛け側鋼線の根元がコイル状になっているため撓ませ易く、撓ませて仕掛け側鋼線の先端の小さな輪を、他の真っ直ぐな鋼線の先端の比較的大きな輪に通し保持させることで、容易にかさ張らない収納が可能になる。
【考案を実施するための最良の形態】
【０００６】  図１は一般的な釣り用天秤の構造を示す正面図で、１は錘、２は錘の上端から真っ直ぐに出る鋼線で、先端には道糸３を結ぶための小さな輪４が構成される。５は錘の上端から直角方向に曲げた仕掛け側鋼線で、鋼線の先端には仕掛け糸６を結ぶための小さな輪４が構成される。仕掛け糸の先端の釣り針７からの魚信は、直角方向に張り出した仕掛け側鋼線から錘を介した上で、真っ直ぐな鋼線を通り道糸へ伝えられる。【０００７】  図２は本考案の釣り用天秤を示す正面図で、１は錘、２は錘の上端から真っ直ぐに出る鋼線であるが、先端には比較的大きな輪８が構成される。９は錘の上端近くから直角方向に出る仕掛け側鋼線であるが、根元部を撓み易いようコイル状部１０とし、コイル状部の上端近くに道糸を結ぶための輪１１を構成させた上で直角方向に曲げ、先端には仕掛け糸６を結ぶための小さな輪４を構成させる。道糸３は輪１１に結ばれた上で、比較的大きな輪８を通り釣人の手元まで延長する。魚信は直角方向の仕掛け側鋼線から直接釣人に伝えられ、錘は別途コイル状部を介して保持されることになる。なお、該２本の鋼線は、点線で示すように錘の中で折り返した１本の鋼線での作成が望ましい。【０００８】  図３は図２の本考案の釣り用天秤の収納時を示す正面図で、直角方向に出ていた仕掛け側鋼線９を手で持って撓ませ、先端の小さな輪４を比較的大きな輪８に通して保持させることで、かさ張らない収納を可能にする。なお、本図では道糸および仕掛け糸関係の記入は省略してある。
【図面の簡単な説明】
【０００９】
【図１】  一般的な釣り用天秤の構造を示す正面図である。
【図２】  本考案の釣り用天秤を示す正面図である。
【図３】  本考案の釣り用天秤の収納時を示す正面図である。
【符号の説明】
【００１０】    １    錘
２    錘の上端から真っ直ぐに出る鋼線
３    道糸
４    小さな輪
５    錘の上端から直角方向に曲げた仕掛け側鋼線
６    仕掛け糸
７    釣り針
８    比較的大きな輪
９    錘の上端近くから直角方向に出る仕掛け側鋼線
１０    コイル状部
１１    道糸を結ぶための輪
【図１】
0003139443.tif 000003
【図２】
0003139443.tif 000004
【図３】
0003139443.tif 000005